(57)【要約】【課題】携帯機器から電源台に安定して確実に情報信号を伝送しながら、電源台から携帯機器に電力搬送する。【解決手段】電力搬送方法は、電源台１０の送電コイル１１と携帯機器５０の受電コイル５１とを電磁結合させて電力搬送する状態で、携帯機器５０が受電コイル５１の負荷インピーダンスを変化する変調方式で電源台１０に情報信号を伝送し、電源台１０が、送電コイル１１を介して受電コイル５１の負荷インピーダンスの変化を検出して情報信号を検出し、電源台１０が、携帯機器５０側から伝送される情報信号で送電コイル１１の給電電力をコントロールしながら、送電コイル１１から受電コイル５１に電力搬送する。さらに、電力搬送方法は、電源台１０が、送電コイル１１の給電電力を、携帯機器５０から電源台１０に情報信号を伝送できる最大初期電力に設定して情報信号を伝送し、その後、送電コイル１１の給電電力を低下させて、最適供給電力とする。【選択図】図６
2013251955.tif 000002
【特許請求の範囲】
【請求項１】
電源台(10)に携帯機器(50)をセットして、電源台(10)の送電コイル(11)と携帯機器(50)の受電コイル(51)とを電磁結合して、電源台(10)の送電コイル(11)から携帯機器(50)の受電コイル(51)に電力搬送すると共に、
前記携帯機器(50)の送電コイル(11)から受電コイル(51)に電力搬送する状態で、携帯機器(50)が受電コイル(51)の負荷インピーダンスを変化する変調方式で電源台(10)に情報信号を伝送し、
前記電源台(10)が、前記送電コイル(11)を介してこれに電磁結合してなる受電コイル(51)の負荷インピーダンスの変化を検出して、前記情報信号を検出し、
前記電源台(10)が、携帯機器(50)側から伝送される情報信号で送電コイル(11)の給電電力をコントロールしながら、送電コイル(11)から受電コイル(51)に電力搬送する電力搬送方法であって、
前記電源台(10)が、前記送電コイル(11)の給電電力を、携帯機器(50)から電源台(10)に情報信号を伝送できる最大初期電力に設定して情報信号を伝送し、その後、送電コイル(11)の給電電力を低下させて、最適供給電力とする電力搬送方法。
【請求項２】
電源台(10)に携帯機器(50)をセットして、電源台(10)の送電コイル(11)と携帯機器(50)の受電コイル(51)とを電磁結合して、電源台(10)の送電コイル(11)から携帯機器(50)の受電コイル(51)に電力搬送すると共に、
前記携帯機器(50)の送電コイル(11)から受電コイル(51)に電力搬送する状態で、携帯機器(50)が受電コイル(51)の負荷インピーダンスを変化する変調方式で電源台(10)に情報信号を伝送し、
前記電源台(10)が、前記送電コイル(11)を介してこれに電磁結合してなる受電コイル(51)の負荷インピーダンスの変化を検出して、前記情報信号を検出し、
前記電源台(10)が、携帯機器(50)側から伝送される情報信号で送電コイル(11)の給電電力をコントロールしながら、送電コイル(11)から受電コイル(51)に電力搬送する電力搬送方法であって、
前記電源台(10)が、携帯機器(50)側の情報信号を検出できない不検出状態になると、前記送電コイル(11)の給電電力を情報信号を検出できるレベルまで増加して、携帯機器(50)から電源台(10)に情報信号を伝送するようにしてなる電力搬送方法。
【請求項３】
前記電源台(10)が、携帯機器(50)の最大負荷において情報信号を検出できる送電コイル(11)の最大給電電力を記憶しており、電源台(10)が情報信号を検出できない不検出状態において、電源台(10)が送電コイル(11)の給電電力を最大給電電力に設定して、携帯機器(50)から電源台(10)に情報信号を検出する請求項２に記載される電力搬送方法。
【請求項４】
前記電源台(10)が、送電コイル(11)の電圧振幅の変化から受電コイル(51)の負荷インピーダンスの変化を検出して、情報信号を検出する請求項１ないし３のいずれかに記載される電力搬送方法。
【請求項５】
前記携帯機器(50)が、受電コイル(51)と並列に、コンデンサー(61A)とスイッチング素子(62)との直列回路(60)を接続し、スイッチング素子(62)をオンオフして、受電コイル(51)の負荷インピーダンスを変化して、情報信号を伝送する請求項１ないし４のいずれかに記載される電力搬送方法。
【請求項６】
前記携帯機器(50)が、受電コイル(51)に誘導される電力を情報信号として電源台(10)に伝送する請求項１ないし５のいずれかに記載される電力搬送方法。
【発明の詳細な説明】
【技術分野】
【０００１】
本発明は、電源台に携帯機器をセットして、電源台の送電コイルから携帯機器の受電コイルに電力搬送する電力搬送方法に関する。
【背景技術】
【０００２】
電源台に携帯機器をセットして、電源台の送電コイルから携帯機器の受電コイルに電力搬送する電力搬送方法は開発されている。（特許文献１参照）
この電力搬送方法は、無接点で電源台から携帯機器に電力搬送できる。この方式は、携帯機器から電源台に情報信号を伝送しながら電力搬送する。たとえば、携帯機器から電源台に、受電コイルに誘導される電力を検出して電力信号を伝送し、あるいは充電している電池が満充電されたことを示す信号を伝送する。電源台は、携帯機器から伝送される電力信号と、送電コイルの給電電力との比率から送電効率を検出し、送電効率が好ましい状態となるように、送電コイルの給電電力を調整する。また、充電している電池が満充電されたことを検出すると、送電コイルへの電力供給を停止して、充電を停止する。
【０００３】
携帯機器から電源台に情報信号を伝送するために、特許文献１の電力搬送方法は、図１に示すように、携帯機器１５０側に、受電コイル１５１と並列にコンデンサー１８７とスイッチング素子１８６との直列回路からなる変調回路１８４を接続している。変調回路１８４は、スイッチング素子１８６のＦＥＴをオンオフに切り換えて、受電コイル１５１の負荷インピーダンスを変化させるように情報信号で変調して電源台１１０に伝送する。電源台１１０は、送電コイル１１１を介して受電コイル１５１の負荷インピーダンスの変化を検出して、情報信号を検出する。受電コイル１５１の負荷インピーダンスが変化すると、これに電磁結合している送電コイル１１１の交流波形の振幅が変化する。たとえば、受電コイル１５１の負荷インピーダンスが大きくなると、送電コイル１１１の交流波形の振幅が小さくなり、受電コイル１５１の負荷インピーダンスが小さくなると、交流波形の振幅が大きくなる。このため、送電コイル１１１の交流波形が携帯機器１５０の情報信号で振幅変調された状態となる。したがって、電源台１１０は、送電コイル１１１の交流波形の振幅変動から情報信号を検出できる。
【先行技術文献】
【特許文献】
【０００４】
【特許文献１】特開２００９−２７３３２７号公報
【発明の概要】
【発明が解決しようとする課題】
【０００５】
受電コイルの負荷インピーダンスを情報信号で変化させる変調方式は、電源台が送電コイルの交流波形を検出して情報信号を検出する。ところが、この方式は、携帯機器側の負荷の大きさによって、送電コイルの交流波形の変化幅が小さくなる。このため、携帯機器側の負荷が大きくなると、受電コイルの負荷インピーダンスを変化させても、送電コイルで負荷インピーダンスの変化を検出できなくなる。したがって、携帯機器から電源台に安定して情報信号を伝送できない欠点がある。電源台は、携帯機器から伝送される情報信号を検出して、送電コイルへの交流電力の供給を制御するので、情報信号が検出できないと、電源台から携帯機器に正常に電力搬送できなくなる。
【０００６】
本発明は、この欠点を解決することを目的に開発されたものである。本発明の重要な目的は、携帯機器の負荷が変動しても、携帯機器から電源台に安定して確実に情報信号を伝送しながら、電源台から携帯機器に電力搬送できる方法を提供することにある。
【課題を解決するための手段及び発明の効果】
【０００７】
本発明の電力搬送方法は、電源台１０に携帯機器５０をセットして、電源台１０の送電コイル１１と携帯機器５０の受電コイル５１とを電磁結合して、電源台１０の送電コイル１１から携帯機器５０の受電コイル５１に電力搬送すると共に、携帯機器５０の送電コイル１１から受電コイル５１に電力搬送する状態で、携帯機器５０が受電コイル５１の負荷インピーダンスを変化する変調方式で電源台１０に情報信号を伝送し、電源台１０が、送電コイル１１を介してこれに電磁結合してなる受電コイル５１の負荷インピーダンスの変化を検出して情報信号を検出し、電源台１０が、携帯機器５０側から伝送される情報信号で送電コイル１１の給電電力をコントロールしながら、送電コイル１１から受電コイル５１に電力搬送する。さらに、電力搬送方法は、電源台１０が、送電コイル１１の給電電力を、携帯機器５０から電源台１０に情報信号を伝送できる最大初期電力に設定して情報信号を伝送し、その後、送電コイル１１の給電電力を低下させて、最適供給電力とする。
【０００８】
以上の電力搬送方法は、携帯機器の負荷が変動しても、携帯機器から電源台に安定して確実に情報信号を伝送しながら、電源台から携帯機器に電力搬送できる特徴がある。それは、以上の電力搬送方法が、送電コイルに供給する給電電力を最大初期電力として、情報信号を伝送し、その後、送電コイルの給電電力を最適供給電力に低下させるからである。受電コイルの負荷が大きくなる状態、たとえば、電池の充電電流が大きくなる状態で、送電コイルの給電電力を大きくして、受電コイルの負荷インピーダンスの変化を確実に安定して検出できるのは、送電コイルの給電電力を大きくすると交流波形の振幅が大きくなって、振幅変動を確実に検出できるからである。
【０００９】
図２は、受電コイルの負荷が大きくて、送電コイルの給電電力が小さい状態において、受電コイルの負荷インピーダンスを変化させて、送電コイルの交流波形の振幅が変化する状態を示している。この図に示すように、受電コイルの負荷が大きくなると、送電コイルの交流波形の振幅変動は極めて小さく、振幅変動から情報信号を正確に検出できなくなる。図３は、受電コイルの負荷を同じように大きくしながら、かつ送電コイルの給電電力を大きくする状態で、送電コイルの交流波形の振幅が変化する状態を示している。この図に示すように、送電コイルの給電電力を大きくすると、受電コイルの負荷が大きくても、送電コイルの交流波形の振幅変動は大きく、振幅変動から確実に情報信号を検出できる。
【００１０】
本発明の電力搬送方法は、電源台１０に携帯機器５０をセットして、電源台１０の送電コイル１１と携帯機器５０の受電コイル５１とを電磁結合して、電源台１０の送電コイル１１から携帯機器５０の受電コイル５１に電力搬送すると共に、携帯機器５０の送電コイル１１から受電コイル５１に電力搬送する状態で、携帯機器５０が受電コイル５１の負荷インピーダンスを変化する変調方式で電源台１０に情報信号を伝送し、電源台１０が、送電コイル１１を介してこれに電磁結合してなる受電コイル５１の負荷インピーダンスの変化を検出して情報信号を検出し、電源台１０が、携帯機器５０側から伝送される情報信号で送電コイル１１の給電電力をコントロールしながら、送電コイル１１から受電コイル５１に電力搬送する。さらに、電力搬送方法は、電源台１０が、携帯機器５０側の情報信号を検出できない不検出状態になると、送電コイル１１の給電電力を情報信号を検出できるレベルまで増加して、携帯機器５０から電源台１０に情報信号を伝送する。
【００１１】
以上の電力搬送方法は、携帯機器の負荷が変動しても、携帯機器から電源台に安定して確実に情報信号を伝送しながら、電源台から携帯機器に電力搬送できる特徴がある。それは、以上の電力搬送方法が、情報信号を伝送できない不検出状態において、送電コイルの給電電力を情報信号を検出できるレベルまで増加して、携帯機器から電源台に情報信号を伝送するからである。
【００１２】
本発明の電力搬送方法は、電源台１０が、携帯機器５０の最大負荷において情報信号を検出できる送電コイル１１の最大給電電力を記憶しており、電源台１０が情報信号を検出できない不検出状態において、電源台１０が送電コイル１１の給電電力を最大給電電力に設定して、携帯機器５０から電源台１０への情報信号を検出することができる。
【００１３】
以上の電力搬送方法は、情報信号の不検出状態において、電源台が記憶している最大給電電力を送電コイルに供給するので、携帯機器から電源台に安定して情報信号を伝送できる。それは、記憶している最大給電電力を確実に安定して情報信号を伝送できる電力に設定できるからである。
【００１４】
本発明の電力搬送方法は、電源台１０が、送電コイル１１の電圧振幅の変化から受電コイル５１の負荷インピーダンスの変化を検出して、情報信号を検出することができる。
以上の電力搬送方法は、簡単な回路構成で、送電コイルの電圧振幅の変化から情報信号を検出できる特徴がある。
【００１５】
本発明の電力搬送方法は、携帯機器５０が、受電コイル５１と並列に、コンデンサー６１Ａとスイッチング素子６２との直列回路６０を接続し、スイッチング素子６２をオンオフして、受電コイル５１の負荷インピーダンスを変化して、情報信号を伝送することができる。
以上の電力搬送方法は、受電コイルにコンデンサーを接続する状態と接続しない状態とに切り換えて、受電コイルの負荷インピーダンスを変化させるので、送電効率を低下することなく、安定して情報信号を伝送できる特徴がある。それは、受電コイルと並列にコンデンサーを接続しても、コンデンサーが電力を消費しないからである。
【００１６】
本発明の電力搬送方法は、携帯機器５０が、受電コイル５１に誘導される電力を情報信号として電源台１０に伝送することができる。
この電力搬送方法は、携帯機器の受電コイルに誘導される電力が情報信号として電源台に伝送されるので、電源台は携帯機器から伝送される情報信号でもって、送電効率を検出し、送電効率を最適な状態にコントロールしながら、電力搬送できる特徴がある。
【図面の簡単な説明】
【００１７】
【図１】従来の電力搬送装置が情報信号を伝送する構造を示すブロック図である。
【図２】送電コイルの給電電力が小さい状態で、受電コイルの負荷インピーダンスを変化させて送電コイルの交流波形の振幅が変化する状態を示す図である。
【図３】送電コイルの給電電力を大きくする状態で、受電コイルの負荷インピーダンスを変化させて送電コイルの交流波形の振幅が変化する状態を示す図である。
【図４】本発明の一実施の形態にかかる電力搬送方法に使用する電源台と携帯機器を示す概略構成図である。
【図５】図４に示す電源台と携帯機器の一例を示す斜視図である。
【図６】送電コイルの供給電圧を調整して携帯機器から電源台に情報信号を伝送する状態を示すグラフである。
【発明を実施するための形態】
【００１８】
以下、本発明の実施例を図面に基づいて説明する。ただし、以下に示す実施例は、本発明の技術思想を具体化するための電力搬送方法を例示するものであって、本発明は電力搬送方法を以下の方法に特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図４は、携帯機器５０を電池内蔵機器５０Ａとし、電源台１０を充電台１０Ａとし、送電コイル１１から受電コイル５１に電力搬送して、携帯機器５０の電池５２を充電する。ただし、本発明は、電力搬送方法の電源台を充電台に特定せず、また携帯機器を電池内蔵機器に特定しない。携帯機器を光源を備える照明や充電アダプターとし、これ等の携帯機器に電源台から電力搬送することもできるからである。
【００２０】
図４は、携帯機器５０を、電池５２を内蔵する電池内蔵機器５０Ａとし、電源台１０を電池内蔵機器５０Ａの電池５２を充電する充電台１０Ａとしている。携帯機器５０は、電源台１０の送電コイル１１に電磁結合される受電コイル５１と、この受電コイル５１に誘導される交流を整流する整流回路５７と、整流回路５７の出力で電池５２を充電する充電回路５８と、携帯機器５０の情報信号を電源台１０に送信する変調回路５４を備えている。
【００２１】
携帯機器５０は、電源台１０が最適な電力を給電するために変調回路５４で情報信号を電源台１０に伝送する。変調回路５４は、受電コイル５１の出力電圧、出力電流、電池状態、温度などを情報信号として電源台１０に伝送する。変調回路５４は、インピーダンス素子６１とスイッチング素子６２との直列回路６０と、直列回路６０のスイッチング素子６２をオンオフに制御する入力回路６３とを備える。直列回路６０は、受電コイル５１と並列に接続されて、スイッチング素子６２をオンオフに切り換えて受電コイル５１の負荷インピーダンスを変化させる。図４の変調回路５４は、インピーダンス素子６１をコンデンサー６１Ａとし、スイッチング素子６２をＦＥＴ６２Ａとしている。ただし、インピーダンス素子には、コンデンサーに代わってコイルや抵抗器も使用でき、またコンデンサーとコイルと抵抗を直列や並列に接続した素子も使用できる。また、スイッチング素子は、ＦＥＴに代わってトランジスタも使用できる。
【００２２】
入力回路６３は、整流回路５７の出力電圧、出力電流、電池の電圧、満充電状態、電池温度などを時系列に情報信号とし、情報信号をデジタル信号として、デジタル信号でスイッチング素子６２をオンオフに切り換えて、受電コイル５１の負荷インピーダンスを変化させる。すなわち、変調回路５４は、情報信号のデジタル信号で受電コイル５１の負荷インピーダンスを変化させて、情報信号を電源台１０に伝送する。入力回路６３は、所定の周期で順番に、出力電圧、出力電流、電池電圧、満充電状態、電池温度等を繰り返しデジタル信号に変換し、このデジタル信号でスイッチング素子６２をオンオフに切り換えて、デジタル信号の情報信号を電源台１０に伝送する。出力電圧、出力電流、電池電圧、満充電状態、電池温度等、種々の情報信号の順番を識別するために、複数の情報信号を伝送する変調回路５４は、同期信号の後に複数の情報信号を伝送する。この変調回路５４は、同期信号と情報信号でもって、受電コイル５１の負荷インピーダンスを変化させるように変調して、電源台１０に情報信号を伝送する。
【００２３】
電源台１０は、ケース２０と、このケース２０内に配置されて受電コイル５１に電磁結合される送電コイル１１と、この送電コイル１１に交流電力を供給する交流電源１２と、携帯機器５０から伝送される情報信号を検出する復調回路１４と、この復調回路１４で検出する情報信号で交流電源１２を制御する制御回路１５とを備えている。
【００２４】
ケース２０は、図５に示すように、携帯機器５０を載せる平面状の上面プレート２１を上面に設けている。図５の電源台１０は、上面プレート２１全体を平面状として水平に配設している。上面プレート２１は、大きさや外形が異なる種々の携帯機器５０を上に載せることができる大きさとしている。また、上面プレート２１は、その周囲に周壁などを設け、周壁の内側に携帯機器をセットして、携帯機器を定位置にセットする構造とすることができる。
【００２５】
送電コイル１１は、上面プレート２１と平行な面で渦巻き状に巻かれて、上面プレート２１の上方に交流磁束を放射する。この送電コイル１１は、上面プレート２１に直交する交流磁束を上面プレート２１の上方に放射する。送電コイル１１は、交流電源１２から交流電力が供給されて、上面プレート２１の上方に交流磁束を放射する。送電コイル１１は、受電コイル５１の外径にほぼ等しくして、受電コイル５１に効率よく電力搬送する。上面プレート２１の自由な位置に携帯機器５０をセットする電源台１０は、送電コイル１１を携帯機器５０の受電コイル５１に接近させる移送機構（図示せず）を備えている。携帯機器を上面プレートの定位置にセットする電源台は、セットされる携帯機器の受電コイルに接近する位置に送電コイルを配置している。
【００２６】
交流電源１２は、送電コイル１１に交流電力を供給する。送電コイル１１を受電コイル５１に接近するように移動する電源台１０は、交流電力を可撓性のリード線（図示せず）を介して送電コイル１１に接続する。交流電源１２は、図示しないが、発振回路と、この発振回路から出力される交流を電力増幅するパワーアンプとを備える。交流電力は、たとえば数百ｋＨｚ〜数十ＭＨｚの交流電力を送電コイル１１に供給する。
【００２７】
復調回路１４は、送電コイル１１の交流波形の振幅変動から情報信号を検出する。変調回路５４のスイッチング素子６２がオンオフに切り換えられると、送電コイル１１に流れる交流波形の振幅が変化する。復調回路１４は、波形整形回路（図示せず）で送電コイル１１の交流波形の振幅変動を整形して、受電コイル５１の負荷インピーダンスの変化を検出して情報信号を検出する。復調回路１４は、携帯機器５０から伝送される同期信号も検出し、同期信号に続いて順番に伝送される情報信号を検出する。
【００２８】
復調回路１４で検出される情報信号は制御回路１５に入力される。制御回路１５は情報信号で交流電源１２を制御して、交流電源１２から送電コイル１１に供給する電力を最適値にコントロールする。電源台１０にセットされた携帯機器５０は、変調回路５４でもって情報信号を電源台１０に伝送する。電源台１０は情報信号を検出して、送電コイル１１に供給する交流電力を調整する。電源台１０が携帯機器５０からの情報信号を検出できないと、電源台１０は正常な電力を送電コイル１１に供給できない。携帯機器５０からの情報信号を確実に検出するために、電源台１０の制御回路１５は送電コイル１１の給電電力をコントロールする。
【００２９】
図６のラインＡは、携帯機器５０から電源台１０に情報信号を伝送できる検出領域と、情報信号を伝送できない不検出領域（図においてハッチングで表示）の境界を示している。この図は、横軸を受電コイル５１の負荷電流、縦軸を送電コイル１１の給電電力（図においては、供給電圧）を示している。この図に示すように、受電コイル５１の負荷電流が大きくなる領域では、送電コイル１１の供給電圧（給電電力）が小さいと、情報信号を伝送できなくなる。送電コイル１１の供給電圧（給電電力）が低いと、図２に示すように、送電コイル１１の交流波形の振幅変動が小さくなるからである。送電コイル１１の供給電圧（給電電力）を高くすると、図３に示すように、交流波形の振幅変動が大きくなって、情報信号を伝送できる状態となる。
【００３０】
電源台１０に携帯機器５０がセットされると、セットされた携帯機器５０は、情報信号を電源台１０に伝送する。このとき、携帯機器５０の負荷電流が大きく、送電コイル１１の給電電力が小さいと、情報信号を検出できなくなる。情報信号が検出できない電源台１０は、送電コイル１１の供給電力を最適値に設定できない。
【００３１】
以上の弊害を防止するために、電源台１０の制御回路１５は、以下のようにして確実に情報信号を検出する。この電源台１０は、携帯機器５０がセットされたことを検出する検出回路（図示せず）を備えている。検出回路は、たとえば、上面プレート２１に検出コイルを設けて、この検出コイルにパルス信号を入力し、このパルス信号で受電コイル５１を励起し、パルス信号で励起された受電コイル５１から出力されるエコー信号を検出して、携帯機器５０がセットされたことを検出できる。また、上面プレート２１にリミットスイッチ等を設け、セットされる携帯機器５０がリミットスイッチを切り換えることで、携帯機器５０がセットされたことを検出することもできる。
【００３２】
電源台１０は、図６のラインＢで示すように、送電コイル１１の供給電圧をコントロールして、情報信号を確実に検出しながら、送電コイル１１の供給電圧を最適値に調整する。この電源台１０は、検出回路でもって、携帯機器５０がセットされることを検出すると、制御回路１５が、送電コイル１１の給電電力を、携帯機器５０から電源台１０に情報信号を伝送できる最大初期電力に設定して情報信号を検出する。図６において、最大初期電力は、送電コイル１１に交流電力を供給する供給電圧を１１Ｖとする電力に設定している。図６において、携帯機器５０の最大負荷電流は２Ａ、この状態で情報信号を検出できない送電コイル１１の供給電圧は約１０Ｖである。したがって、送電コイル１１の供給電圧を１１Ｖとして、最大初期電力に設定すると、携帯機器５０の負荷電流が最大電流であっても、電源台１０は情報信号を検出できる。その後、電源台１０は、携帯機器５０からの情報信号を検出しながら、次第に送電コイル１１の給電電力を減少して、携帯機器５０に最適な６Ｖに設定する。電源台１０は、送電コイル１１に給電する最適な給電電力を、携帯機器５０から伝送される情報信号で決定する。すなわち、携帯機器５０が必要な電力を電源台１０に情報信号で要求し、電源台１０がこの情報信号で送電コイル１１への供給電力を設定する。また、電源台１０は、携帯機器５０からの情報信号と、送電コイル１１の供給電力が送電効率を演算し、演算する送電効率が最適値、あるいはあらかじめ設定している好ましい領域となるように、送電コイル１１の給電電力をコントロールすることもできる。
【００３３】
さらに、電源台１０にセットして電力搬送している状態で、携帯機器５０の負荷が変動して、一時的に負荷電流が大きくなると、電源台１０が情報信号を検出できなくなることがある。携帯機器５０の負荷変動は、たとえば、携帯機器５０が携帯電話で、電池を充電しているときに、電話を受信して受信音が鳴り、あるいはバイブレータが振動する状態で発生する。たとえば、図６において、送電コイル１１の供給電圧を６Ｖとして電力搬送している状態で、携帯機器５０の負荷電流が１Ａを越えると、電源台１０は情報信号を検出できなくなる。この不検出状態になると、制御回路１５は、交流電源１２を制御して送電コイル１１の供給電圧が６Ｖよりも高くなるように、供給電力を増加する。送電コイル１１の供給電圧を高くして、給電電力を高くすると、情報信号を検出できる領域となるので、電源台１０は携帯機器５０の情報信号を検出できる状態となる。
【００３４】
すなわち、電源台１０は、携帯機器５０側の情報信号を検出できない不検出状態になると、送電コイル１１の給電電力を情報信号を検出できるレベルまで増加して、携帯機器５０からの情報信号を検出する。検出する情報信号で交流電源１２を制御して、送電コイル１１の供給電力を最適な状態に調整する。たとえば、携帯機器５０の負荷電流が１Ａ以下に減少すると、送電コイル１１の給電電力を最適な電力に減少して、電源台１０から携帯機器５０に電力搬送する。
【００３５】
以上の電源台１０は、以下の動作で携帯機器５０に電力搬送する。
（１）ケース２０の上面プレート２１に携帯機器５０が載せられると、携帯機器５０がセットされたことを電源台１０が検出する。この状態で、送電コイル１１は受電コイル５１に接近される。
（２）電源台１０は、送電コイル１１の給電電力を最大初期電力に設定して、携帯機器５０からの情報信号を検出する。
（３）電源台１０は、携帯機器５０から伝送される情報信号で交流電源１２を制御して、送電コイル１１の給電電力を次第に減少して、送電コイル１１の給電電力を最適な電力に調整して、送電コイル１１から受電コイル５１に電力搬送する。
（４）電源台１０から携帯機器５０に電力搬送している状態で、携帯機器５０の負荷電流が増加して、電源台１０が情報信号を検出できない不検出状態になると、制御回路１５が交流電源１２を制御して、送電コイル１１の給電電力を情報信号を検出できる電力まで増加させる。
（５）電源台１０は、携帯機器５０から伝送される情報信号を検出して、情報信号を伝送できる状態を保持しながら、送電コイル１１の給電電力を次第に低下して、最適な電力に設定する。この状態で、送電コイル１１から受電コイル５１に電力搬送する。
（６）携帯機器５０が電池内蔵機器５０Ａであって、内蔵する電池５２が満充電されると、電源台１０は、携帯機器５０から伝送される満充電信号を検出して、制御回路１５が送電コイル１１への電力供給を停止する。
携帯機器５０がライトなどで電力搬送を停止しない状態では、連続して送電コイル１１から受電コイル５１に電力搬送して、電源台１０から携帯機器５０に給電する。
【産業上の利用可能性】
【００３６】
本発明の電力搬送方法は、電源台から携帯機器に無接点で電力搬送し、さらに携帯機器から電源台に情報信号を安定して伝送しながら、電源台から携帯機器に電力搬送するので、携帯機器等の電池内蔵機器の安定な無接点充電等に好適に使用される。
【符号の説明】
【００３７】
１０…電源台                      １０Ａ…充電台
１１…送電コイル
１２…交流電源
１４…復調回路
１５…制御回路
２０…ケース
２１…上面プレート
５０…携帯機器                    ５０Ａ…電池内蔵機器
５１…受電コイル
５２…電池
５４…変調回路
５７…整流回路
５８…充電回路
６０…直列回路
６１…インピーダンス素子          ６１Ａ…コンデンサー
６２…スイッチング素子            ６２Ａ…ＦＥＴ
６３…入力回路
１１０…電源台
１１１…送電コイル
１５０…携帯機器
１５１…受電コイル
１８４…変調回路
１８６…スイッチング素子
１８７…コンデンサー
【図１】
2013251955.tif 000003
【図２】
2013251955.tif 000004
【図３】
2013251955.tif 000005
【図４】
2013251955.tif 000006
【図５】
2013251955.tif 000007
【図６】
2013251955.tif 000008